(57)【要約】【課題】折畳み型等とされる携帯に適した匣体を備え、匣体が折畳み状態等とされて携帯し易いものとされるとき、それまで行われていた動作に関連する機能のうちの選択されたものについては引き続き果たされることになるものとする。【解決手段】  第１の匣体部分１４と第２の匣体部分１５とが、相互に離隔する展開状態と相互に重ね合わされて携帯し易いものとされる折畳み状態とをとる本体部１１と、本体部１１に内蔵されたテレビジョン機能部及び記録再生機能部と、本体部１１に内蔵され、本体部１１が展開状態にあってテレビジョン機能部もしくは記録再生機能部が動作しているもとで、本体部１１が展開状態から折畳み状態にされたとき、テレビジョン機能部もしくは記録再生機能部が果たす機能のうち選択されたものについては保存あるいは継続され、選択されたもの以外の機能については停止される状態となす機能制御部とを備える。【選択図】  図１
2005063254.tif 000002
【特許請求の範囲】
【請求項１】
画像表示部が設けられた第１の匣体部分と制御操作部が設けられた第２の匣体部分とが、各々の大部分が相互に離隔する第１の状態と各々の大部分が相互に重ね合わされて携帯し易いものとされる第２の状態とを選択的にとる本体部と、
該本体部に設けられたもしくは該本体部に接続される音声出力部と、
上記本体部に内蔵され、テレビジョン放送信号に基づく画像が上記画像表示部により表示され、また、上記テレビジョン放送信号に基づく音声が上記音声出力部から発せられる状態を得るテレビジョン機能部と、
上記本体部に内蔵されて、映像信号及び音声信号の記録及び再生を行い、再生された映像信号基づく画像が上記画像表示部により表示され、また、再生された音声信号に基づく音声が上記音声出力部から発せられる状態を得る記録再生機能部と、
上記本体部に内蔵され、上記本体部が上記第１の状態にあって上記テレビジョン機能部もしくは記録再生機能部が動作しているもとで、上記本体部が上記第１の状態から上記第２の状態に移行せしめられたとき、上記テレビジョン機能部もしくは記録再生機能部が果たす機能のうち選択されたものについては保存あるいは継続され、該選択されたもの以外の機能については停止される状態となす機能制御部と、
を備えて構成される携帯型電子機器。
【請求項２】
上記機能制御部が、上記本体部が上記第１の状態にあって上記記録再生機能部が動作しており、該記録再生機能部がポーズ機能を果たしているもとで、上記本体部が上記第１の状態から上記第２の状態に移行せしめられたとき、上記記録再生機能部が果たすポーズ機能については保存され、該ポーズ機能以外の機能については停止される状態となすことを特徴とする請求項１記載の携帯型電子機器。
【請求項３】
上記機能制御部が、上記本体部が、上記記録再生機能部が果たすポーズ機能が保存されて上記第２の状態にあるもとで、該第２の状態から上記第１の状態に移行せしめられたとき、上記記録再生機能部に上記ポーズ機能を果たす状態をもって動作状態をとらせることを特徴とする請求項２記載の携帯型電子機器。
【請求項４】
上記機能制御部が、上記本体部が上記第１の状態にあって上記テレビジョン機能部もしくは上記記録再生機能部が動作しており、該テレビジョン機能部もしくは記録再生機能部が上記音声出力部から音声が発せられる状態を得る機能を果たしているもとで、上記本体部が上記第１の状態から上記第２の状態に移行せしめられたとき、上記テレビジョン機能部もしくは記録再生機能部が果たす上記音声出力部から音声が発せられる状態を得る機能については継続され、該音声出力部から音声が発せられる状態を得る機能以外の機能については停止されることを特徴とする請求項１記載の携帯型電子機器。
【請求項５】
上記本体部に内蔵されて、音声信号の再生を行い、再生された音声信号に基づく音声が上記音声出力部から発せられる状態を得る音声再生機能部を備え、上記機能制御部が、上記本体部が上記第１の状態にあって上記音声再生機能部が動作しており、該音声再生機能部が上記音声出力部から音声が発せられる状態を得る機能を果たしているもとで、上記本体部が上記第１の状態から上記第２の状態に移行せしめられたとき、上記音声再生機能部が果たす上記音声出力部から音声が発せられる状態を得る機能については継続され、該音声出力部から音声が発せられる状態を得る機能以外の機能については停止されることを特徴とする請求項１記載の携帯型電子機器。
【請求項６】
上記本体部が、上記第１の匣体部分と上記第２の匣体部分とがヒンジ部により折畳み及び展開可能に連結されることを特徴とする請求項１記載の携帯型電子機器。
【発明の詳細な説明】
【技術分野】
【０００１】
本願の特許請求の範囲に記載された発明は、画像表示部が設けられた匣体部分と制御操作部が設けられた匣体部分とが、展開状態と重ね合わされて携帯し易いものとされる状態とを選択的にとる本体部を備えた携帯型電子機器に関する。
【背景技術】
【０００２】
映像信号に基づく動画像を表示することができる装置として、近年、小型で薄型の液晶を利用した画像表示パネル、即ち、液晶表示パネルが急速に普及してきており、それに伴って、斯かる液晶表示パネルが用いられた、小型の携帯用テレビジョン受像機が提案されている。このような液晶表示パネルが用いられた小型の携帯用テレビジョン受像機は、液晶表示パネルが組み込まれた画像表示部と各種の動作制御を行うための制御操作部とを備えた本体を有し、その本体に、テレビジョン放送電波を受けるためのアンテナ，音声を再生するためのヘッドフォーンあるいはイアフォーン等が接続されるものとされる。
【０００３】
画像表示部と制御操作部とを備えた本体を有する小型の携帯用テレビジョン受像機にあっては、本体を、画像表示部と制御操作部との両者が設けられた一体型の匣体をもって構成するもののみならず、本体を、画像表示部が設けられた部分と制御操作部が設けられた部分とに区分され、両部分がヒンジ部によって折畳み及び展開可能に連結された折畳み型の匣体をもって構成するものが提案されている（例えば、特許文献１参照。）。
【０００４】
上述の特許文献１に記載されているような折畳み型の匣体をもって本体が構成された小型の携帯用テレビジョン受像機にあっては、匣体の画像表示部が設けられた部分と制御操作部が設けられた部分とが展開された状態（展開状態）のもとで、テレビジョン放送信号を受信し、受信されたテレビジョン放送信号に基づく画像及び音声を再生する動作（テレビジョン信号受信再生動作）が行われる。そして、テレビジョン信号受信再生動作が行われないときには、匣体の画像表示部が設けられた部分と制御操作部が設けられた部分とが折り畳まれた状態（折畳み状態）とされ、携帯し易いものとされる。
【特許文献１】特開２００１−１０３３９８号公報  （第３頁、第１〜３図）
【発明の開示】
【発明が解決しようとする課題】
【０００５】
映像信号及び音声信号の記録及び再生を、例えば、メモリースティック（MEMORY STICK: ソニー株式会社の登録商標）と称される薄型板状の半導体記録媒体を用いて行う、極めて小型な記録再生システムが、既に提案されている。そこで、斯かる記録再生システムを、前述の折畳み型の匣体をもって本体が構成された小型の携帯用テレビジョン受像機の本体に組み込んで、折畳み型の匣体をもって本体が構成された小型の携帯用テレビジョン受像機を、映像信号及び音声信号についての記録再生動作を行うこともできるものとするが考えられる。
【０００６】
このようにして得られる、映像信号及び音声信号についての記録再生動作を行うこともできる、折畳み型の匣体をもって本体が構成された小型の携帯用テレビジョン受像機にあっては、展開状態とされたもとで、テレビジョン信号受信再生動作、あるいは、映像信号及び音声信号の記録動作あるいは再生動作が行われ、斯かる動作が行われないときには、折畳み状態とされることになる。このため、展開状態とされて、テレビジョン信号受信再生動作もしくは映像信号及び音声信号の記録動作あるいは再生動作が行われているもとで、折畳み状態とされると、テレビジョン信号受信再生動作もしくは映像信号及び音声信号の記録動作あるいは再生動作が停止されることになる機構が備えられる。
【０００７】
例えば、展開状態とされて、映像信号及び音声信号の再生動作が行われているもとで、折畳み状態とされるときには、映像信号及び音声信号の再生動作が停止され、それまでの再生状態が消滅する。それゆえ、その後、再び展開状態とされて、映像信号及び音声信号の再生動作が行われる状態がとられても、映像信号及び音声信号の再生は、折畳み状態とされたことによる停止の直前の状態に続くものでなく、最初からのものとされてしまうという使い勝手の悪さが生じる。
【０００８】
また、上述の記録再生システムに加えて、例えば、前述のメモリースティック等の記録媒体に記録された音声信号の再生を行う音声信号再生システムを、折畳み型の匣体をもって本体が構成された小型の携帯用テレビジョン受像機の本体に組み込んで、折畳み型の匣体をもって本体が構成された小型の携帯用テレビジョン受像機を、音声信号についての再生動作をも行えるものとすることが考えられる。
【０００９】
斯かる音声信号再生動作をも行うことができるものとされた、折畳み型の匣体をもって本体が構成された小型の携帯用テレビジョン受像機の場合にも、展開状態とされたもとで、テレビジョン信号受信再生動作，映像信号及び音声信号の記録動作あるいは再生動作、あるいは、音声信号の再生動作が行われ、斯かる動作が行われないときには、折畳み状態とされることになる。このため、展開状態とされて、テレビジョン信号受信再生動作，映像信号及び音声信号の記録動作あるいは再生動作、もしくは、音声信号の再生動作が行われているもとで、折畳み状態とされると、テレビジョン信号受信再生動作，映像信号及び音声信号の記録動作あるいは再生動作、もしくは、音声信号の再生動作が停止されることになる機構が備えられる。
【００１０】
例えば、展開状態とされて、例えば、メモリースティック等の記録媒体に記録された音声信号の再生動作が行われているもとで、折畳み状態とされるときには、音声信号の再生動作が停止され、それまでの再生状態が消滅する。しかしながら、再生された音声信号に基づいて出力される音声は、上述の携帯用テレビジョン受像機の使用者が聴覚のみをもって捉えれば済むことが殆どである。このことは、当該携帯用テレビジョン受像機が折畳み状態とされて携帯し易いものとされたときにも、音声信号を再生する動作が継続されれば、使用者が携帯用テレビジョン受像機の携帯中においても音声聴取を楽しむことができることになるが、携帯用テレビジョン受像機が折畳み状態とされるときには音声信号の再生動作が停止されるのでは、使用者にとっての斯かる楽しみは得られない。
【００１１】
斯かる点に鑑み、本願の特許請求の範囲に記載された発明は、テレビジョン信号受信再生動作及び映像信号及び音声信号の記録再生動作を行うことができ、あるいは、テレビジョン信号受信再生動作及び映像信号及び音声信号の記録再生動作に加えて音声信号の再生動作をも行うことができ、例えば、折畳み型とされる携帯に適した匣体をもって本体が構成されるものとされ、匣体が展開状態とされて、いずれかの動作が行われているもとで、例えば、折畳み状態とされて携帯し易いものとされるとき、それまで行われていた動作に関連する機能のうちの選択されたものについては引き続き果たされることになる携帯型電子機器を提供する。
【課題を解決するための手段】
【００１２】
本願の特許請求の範囲における請求項１から請求項６までのいずれかに記載された発明に係る携帯型電子機器は、画像表示部が設けられた第１の匣体部分と制御操作部が設けられた第２の匣体部分とが、各々の大部分が相互に離隔する第１の状態と各々の大部分が相互に重ね合わされて携帯し易いものとされる第２の状態とを選択的にとる本体部と、本体部に設けられたもしくは本体部に接続される音声出力部と、本体部に内蔵され、テレビジョン放送信号に基づく画像が画像表示部により表示され、また、テレビジョン放送信号に基づく音声が音声出力部から発せられる状態を得るテレビジョン機能部と、本体部に内蔵されて、映像信号及び音声信号の記録及び再生を行い、再生された映像信号基づく画像が画像表示部により表示され、また、再生された音声信号に基づく音声が音声出力部から発せられる状態を得る記録再生機能部とを備え、さらに、それに加えて、本体部に内蔵され、本体部が第１の状態にあってテレビジョン機能部もしくは記録再生機能部が動作しているもとで、本体部が第１の状態から第２の状態に移行せしめられたとき、テレビジョン機能部もしくは記録再生機能部が果たす機能のうち選択されたものについては保存あるいは継続され、選択されたもの以外の機能については停止される状態となす機能制御部を備えて構成される。
【００１３】
特に、本願の特許請求の範囲における請求項５に記載された発明に係る携帯型電子機器は、請求項１に記載された発明に係る携帯型電子機器が備える本体部，音声出力部，テレビジョン機能部及び記録再生機能部に加えて、本体部に内蔵されて、音声信号の再生を行い、再生された音声信号に基づく音声が上記音声出力部から発せられる状態を得る音声再生機能部を備え、さらに、機能制御部が、本体部が第１の状態にあって音声再生機能部が動作しており、音声再生機能部が音声出力部から音声が発せられる状態を得る機能を果たしているもとで、本体部が第１の状態から第２の状態に移行せしめられたとき、音声再生機能部が果たす音声出力部から音声が発せられる状態を得る機能については継続され、音声出力部から音声が発せられる状態を得る機能以外の機能については停止されることを特徴とするものとされる。
【発明の効果】
【００１４】
このように構成される本願の特許請求の範囲における請求項１から請求項６までのいずれかに記載された発明に係る携帯型電子機器にあっては、本体部が第１の状態にあってテレビジョン機能部もしくは記録再生機能部が動作しているもとで、本体部が第１の状態から第２の状態に移行せしめられたとき保存される機能が、例えば、記録再生機能部が果たす機能のうちのポーズ機能とされる。斯かる際には、本体部が第１の状態にあって記録再生機能部が動作しており、その記録再生機能部がポーズ機能を果たしているもとで、本体部が第１の状態から第２の状態に移行せしめられたとき、機能制御部により、記録再生機能部が果たすポーズ機能については保存され、それ以外の機能については停止される状態がとられる。
【００１５】
それにより、例えば、本体部が第１の状態とされて、記録再生機能部による映像信号及び音声信号の再生動作が行われているもとで、記録再生機能部にポーズ機能を果たす状態をとらせて、本体部を第１の状態から第２の状態として携帯し易くしたときには、ポーズ機能以外の機能は停止されるがポーズ機能は保存される。それにより、その後、再び本体部を第２の状態から第１の状態に戻して、記録再生機能部による映像信号及び音声信号の再生動作が行われるようにすると、記録再生機能部は先のポーズ機能状態を維持したものとされる。従って、斯かる状態のもとで、記録再生機能部のポーズ機能状態を解除すると、記録再生機能部による映像信号及び音声信号の再生動作が、最初からのものでなく、ポーズ機能状態がとられる直前の状態に続くものとされることになり、極めて使い勝手の良いものとされる。
【００１６】
また、本願の特許請求の範囲における請求項１から請求項６までのいずれかに記載された発明に係る携帯型電子機器にあっては、本体部が第１の状態にあってテレビジョン機能部もしくは記録再生機能部が動作しているもとで、本体部が第１の状態から第２の状態に移行せしめられたとき継続される機能が、例えば、テレビジョン機能部もしくは記録再生機能部が果たす音声出力部から音声が発せられる状態を得る機能とされる。斯かる際には、本体部が第１の状態にあってテレビジョン機能部もしくは記録再生機能部が動作しており、テレビジョン機能部もしくは記録再生機能部が画像表示部により画像が表示されるとともに音声出力部から音声が発せられる状態を得る機能を果たしているもとで、本体部が第１の状態から第２の状態に移行せしめられたとき、機能制御部により、テレビジョン機能部もしくは記録再生機能部が果たす音声出力部から音声が発せられる状態を得る機能については継続され、それ以外の機能については停止される状態がとられる。
【００１７】
それにより、例えば、本体部が第１の状態とされて、テレビジョン機能部もしくは記録再生機能部による画像表示部により画像が表示されるとともに音声出力部から音声が発せられる状態を得る機能が果たされているもとで、本体部を第１の状態から第２の状態として携帯し易くしたときには、音声出力部から音声が発せられる状態を得る機能以外の機能は停止されるが音声出力部から音声が発せられる状態を得る機能は継続される。それにより、本体部を携帯し易くしたもとにあっても、使用者は、音声出力部からの受信されたテレビジョン放送信号に基づく音声、あるいは、メモリースティック等の記録媒体から映像信号と共に再生された音声信号に基づく音声を楽しむことができる。
【００１８】
さらに、本願の特許請求の範囲における請求項５に記載された発明に係る携帯型電子機器にあっては、本体部が第１の状態にあって音声再生機能部が動作しているもとで、本体部が第１の状態から第２の状態に移行せしめられたとき継続される機能が、例えば、音声再生機能部が果たす音声出力部から音声が発せられる状態を得る機能とされる。斯かる際には、本体部が第１の状態にあって音声再生機能部が音声出力部から音声が発せられる状態を得る機能を果たしているもとで、本体部が第１の状態から第２の状態に移行せしめられたとき、機能制御部により、音声再生機能部が果たす音声出力部から音声が発せられるようにする機能については継続され、それ以外の機能については停止される状態がとられる。
【００１９】
それにより、例えば、本体部が第１の状態とされて、音声再生機能部により音声出力部から音声が発せられる状態を得る機能が果たされているもとで、本体部を第１の状態から第２の状態として携帯し易くしたときには、音声出力部から音声が発せられる状態を得る機能以外の機能は停止されるが音声出力部から音声が発せられる状態を得る機能は継続される。それにより、本体部を携帯し易くしたもとにあっても、使用者は、音声出力部からのメモリースティック等の記録媒体から再生された音声信号に基づく音声を楽しむことができる。
【発明を実施するための最良の形態】
【００２０】
本願の特許請求の範囲における請求項１から請求項６までのいずれかに記載された発明を実施するための最良の形態は、以下に述べられる実施例をもって説明される。
【実施例】
【００２１】
図１及び図２は、本願の特許請求の範囲における請求項１から請求項６までのいずれかに記載された発明に係る携帯型電子機器の一例の外観を示す。この図１及び図２に示される例は、匣体１０を備えて構成される本体部１１と本体部１１に接続された音声出力部を形成するヘッドフォーン部１２とを有している。
【００２２】
匣体１０は、第１の匣体部分１４と第２の匣体部分１５とが、ヒンジ部１６により、折畳み及び展開可能に連結されて構成されている。第１の匣体部分１４と第２の匣体部分１５とが、各々の大部分が相互に離隔するものとされて展開された状態が、図１に示されており、また、第１の匣体部分１４と第２の匣体部分１５とが、折り畳まれて各々の大部分が重ね合わされた状態が、図２に示されている。図２に示されるように第１の匣体部分１４と第２の匣体部分１５とが折り畳まれたときには、携帯し易い状態とされることになる。
【００２３】
第１の匣体部分１４には、画像表示部１７が設けられている。この画像表示部１７は、例えば、矩形画面を形成する小型で薄型の液晶表示パネルが用いられて構成されたものとされ、それに供給される映像信号に応じた動画像及び静止画像を表示する。
【００２４】
第２の匣体部分１５には、各種の操作用釦が配されて成る制御操作部１９が設けられている。この制御操作部１９の各種の操作用釦１８は、本体部１１の機能あるいは動作を制御するため機器の使用者により手動操作されるべく配されている。第２の匣体部分１５には、本体部１１が特定の動作状態にあることをあらわす、例えば、発光ダイオードが用いられたインジケータ部２０も設けられている。さらに、第２の匣体部分１５には、小型で薄型の半導体記録媒体であるメモリースティック２１の差込み及び抜出しが行われるメモリースティック用スロット２２も設けられている。
【００２５】
音声出力部を形成するヘッドフォーン部１２は、機器の使用者の左右の耳に夫々直接的に装着される左スピーカ部２３及び右スピーカ部２４が、リード線２５によって連結された形式のものとされている。リード線２５は、左スピーカ部２３及び右スピーカ部２４の夫々に音声信号を供給するとともに、テレビジョン放送信号受信用のアンテナの役割も果たすものとされる。
【００２６】
なお、このようなヘッドフォーン部１２に代えて、本体部１１のいずれかの部分に組み込まれた１個もしくは複数個のスピーカを用いた音声出力部が形成されてもよい。斯かる際には、本体部に設けられた音声出力部が備えられることになる。
【００２７】
図３は、上述のような図１及び図２に示される外観を有した、本願の特許請求の範囲における請求項１から請求項６までのいずれかに記載された発明に係る携帯型電子機器の例における内部構成を含む各部の構成の一例を、機能ブロック構造をもって示す。
【００２８】
図３に示される例においては、音声出力部を形成するヘッドフォーン部１２、及び、ヘッドフォーン部１２におけるリード線２５によって形成されるテレビジョン放送信号受信用のアンテナ３０は、本体部１１に接続されたものである。また、画像表示部１７，制御操作部１９及びインジケータ部２０は、本体部１１に設けられて、本体部１１が図１に示される展開された状態をとるとき、本体部１１の外部に臨むものである。そして、図３おける上述のヘッドフォーン部１２，アンテナ３０，画像表示部１７，制御操作部１９及びインジケータ部２０以外の種々の機能ブロックによりあらわされるものは、本体部１１に内蔵されたものである。
【００２９】
本体部１１に内蔵されたもののうち、テレビジョン機能部３１は、アンテナ３０を通じて受けられたテレビジョン放送信号に基づく動画像あるいは静止画像が画像表示部１７により表示され、また、当該テレビジョン放送信号に基づく音声がヘッドフォーン部１２から発せられる状態を得るようにする機能を果たす。そして、テレビジョン機能部３１は、アンテナ３０により受けられたテレビジョン放送信号ＳＴのうちの選択されたものを受信して、受信されたテレビジョン放送信号に基づく映像信号ＳＶと音声信号ＳＡとを得、映像信号ＳＶを映像信号用の選択部３２に供給するとともに、音声信号ＳＡを音声信号用の選択部３３に供給する。さらに、テレビジョン機能部３１は、受信されたテレビジョン放送信号に基づく映像信号と音声信号とを含んだ記録用信号ＳＲを、記録再生機能部３４に供給する。
【００３０】
また、メモリースティック書込み・読出し制御部３５は、メモリースティック２１が、メモリースティック用スロット２２を通じて着脱されるものとされる。そして、メモリースティック書込み・読出し制御部３５は、装着されたメモリースティック２１に対する映像信号及び音声信号の書込み、及び、装着された映像信号及び音声信号の書込みがなされたメモリースティック２１からの映像信号及び音声信号の読出しを行う機能、さらには、装着された音声信号の書込みがなされたメモリースティック２１からの音声信号の読出しを行う機能を果たす。
【００３１】
記録再生機能部３４は、メモリースティック書込み・読出し制御部３５に装着されたメモリースティック２１を用いて、映像信号及び音声信号の記録及び再生を行い、再生された映像信号に基づく動画像あるいは静止画像が画像表示部１７により表示され、また、再生された音声信号に基づく音声がヘッドフォーン部１２から発せられる状態を得るようにする機能を果たす。記録再生機能部３４には、テレビジョン機能部３１からの記録用信号ＳＲだけでなく、外部入力端子３６を通じて、外部からの記録用映像・音声信号ＡＳＲも供給される。
【００３２】
記録再生機能部３４は、テレビジョン機能部３１からの記録用信号ＳＲもしくは外部入力端子３６を通じた記録用映像・音声信号ＡＳＲから、記録用映像信号ＱＶと記録用音声信号ＱＡとを得て、それらをメモリースティック書込み・読出し制御部３５に供給し、メモリースティック書込み・読出し制御部３５において、記録用映像信号ＱＶ及び記録用音声信号ＱＡが、メモリースティック書込み・読出し制御部３５に装着されたメモリースティック２１に書き込まれるようにする。それにより、記録再生機能部３４は、メモリースティック書込み・読出し制御部３５に装着されたメモリースティック２１を用いての、映像信号及び音声信号の記録を行う。
【００３３】
また、記録再生機能部３４は、メモリースティック書込み・読出し制御部３５においてメモリースティック２１から読み出された映像信号及び音声信号を、読出映像信号ＰＶ及び読出音声信号ＰＡとして取り込み、それらに基づく再生出力映像信号ＳＰＶ及び再生出力音声信号ＳＰＡを送出して、再生出力映像信号ＳＰＶを映像信号用の選択部３２に供給するとともに、再生出力音声信号ＳＰＡを音声信号用の選択部３３に供給する。それにより、記録再生機能部３４は、メモリースティック書込み・読出し制御部３５に装着されたメモリースティック２１を用いての、映像信号及び音声信号の再生を行う。
【００３４】
テレビジョン機能部３１及び記録再生機能部３４と同様に本体部１１に内蔵された音声再生機能部３７は、メモリースティック書込み・読出し制御部３５に装着されたメモリースティック２１を用いて音声信号の再生を行い、再生された音声信号に基づく音声がヘッドフォーン部１２から発せられる状態を得るようにする機能を果たす。そして、音声再生機能部３７は、メモリースティック書込み・読出し制御部３５において、音声信号の書込みがなされたメモリースティック２１から読み出された音声信号を、読出音声信号ＰＵとして取り込み、それに基づく再生音声信号ＳＵを送出して、それを音声信号用の選択部３３に供給する。
【００３５】
図３に示される例においては、上述の各種機能ブロックによってあらわされる各部についての制御を行う機能制御部４０も、本体部１１に内蔵されている。機能制御部４０には、制御操作部１９からそこに配された各種の操作用釦１８の操作に応じて送出される操作出力信号ＳＸが供給されるとともに、匣体折畳み状態検出部４１からの検出出力信号ＤＦが供給される。匣体折畳み状態検出部４１は、本体部１１が、図２に示されるように、第１の匣体部分１４と第２の匣体部分１５とが折り畳まれた状態とされたとき、その折り畳まれた状態を検出して検出出力信号ＤＦを発生して、それを機能制御部４０に供給する。第１の匣体部分１４と第２の匣体部分１５とが折り畳まれた状態の検出には、例えば、第１の匣体部分１４と第２の匣体部分１５とが展開された状態とされるときオフ状態もしくはオン状態とされ、第１の匣体部分１４と第２の匣体部分１５とが折り畳まれた状態とされるときオン状態もしくはオフ状態とされるスイッチが利用される。
【００３６】
機能制御部４０は、制御操作部１９からの操作出力信号ＳＸ及び匣体折畳み状態検出部４１からの検出出力信号ＤＦ等に応じて、各種の制御信号を発生する。これらの制御信号は、テレビジョン機能部３１，記録再生機能部３４及び音声再生機能部３７の各々の機能制御を夫々行う制御信号ＣＴ，ＣＲ及びＣＵと、ヘッドフォーン部１２，画像表示部１７，選択部３２及び３３、及び、メモリースティック書込み・読出し制御部３５の各々の動作制御を夫々行う制御信号ＣＯ，ＣＤ，ＣＶ，ＣＡ及びＣＭと、インジケータ部２０及び本体部１１の各部に動作電圧を供給する電源部４２の夫々の動作制御を行う制御信号ＣＩ及びＣＰとを含むものとされる。
【００３７】
記録再生機能部３４は、機能制御部４０からの制御信号ＣＲによる制御のもとに、例えば、映像信号及び音声信号の再生を行うにあたっての早送り再生機能，スロー再生機能，ポーズ機能等の種々の機能を果たす。そして、記録再生機能部３４は、各機能を果たしている状態にあることをあらわす状態信号ＤＺを、機能制御部４０に供給する。
【００３８】
上述のような機能制御部４０による制御のもとで、選択部３２は、機能制御部４０からの制御信号ＣＶに応じて、テレビジョン機能部３１からの映像信号ＳＶ及び記録再生機能部３４からの再生出力映像信号ＳＰＶのうちのいずれかを選択して取り出して、それを画像表示部１７に供給する。画像表示部１７は、機能制御部４０からの制御信号ＣＤに応じて、映像信号ＳＶもしくは再生出力映像信号ＳＰＶに基づく動画像あるいは静止画像を表示する。
【００３９】
選択部３３は、機能制御部４０からの制御信号ＣＡに応じて、テレビジョン機能部３１からの音声信号ＳＡ，記録再生機能部３４からの再生出力音声信号ＳＰＡ及び音声再生機能部３７からの再生音声信号ＳＵのうちのいずれかを選択して取り出して、それをヘッドフォーン部１２に供給する。ヘッドフォーン部１２は、機能制御部４０からの制御信号ＣＯに応じて、音声信号ＳＡ，再生出力音声信号ＳＰＶもしくは再生音声信号ＳＵに基づく音声を発する。
【００４０】
その結果、画像表示部１７がテレビジョン機能部３１からの映像信号ＳＶに基づく動画像あるいは静止画像を表示するとともに、ヘッドフォーン部１２がテレビジョン機能部３１からの音声信号ＳＡに基づく音声を発する状態，画像表示部１７が記録再生機能部３４からの再生出力映像信号ＳＰＶに基づく動画像あるいは静止画像を表示するとともに、ヘッドフォーン部１２が記録再生機能部３４からの再生出力音声信号ＳＰＡに基づく音声を発する状態、あるいは、ヘッドフォーン部１２が音声再生機能部３７からの再生音声信号ＳＵに基づく音声を発する状態が得られる。そして、インジケータ部２０は、機能制御部４０からの制御信号ＣＩに応じて，各状態に対応した表示動作を行う。
【００４１】
このようなもとで、本体部１１が、第１の匣体部分１４と第２の匣体部分１５とが展開状態にあるものとされて、テレビジョン機能部３１が、機能制御部４０からの制御信号ＣＴに応じて、映像信号ＳＶ及び音声信号ＳＡを送出し、画像表示部１７が映像信号ＳＶに基づく動画像あるいは静止画像を表示するとともに、ヘッドフォーン部１２が音声信号ＳＡに基づく音声を発する状態、もしくは、記録再生機能部３４が、機能制御部４０からの制御信号ＣＲに応じて、再生出力映像信号ＳＰＶ及び再生出力音声信号ＳＰＡを送出し、画像表示部１７が再生出力映像信号ＳＰＶに基づく動画像あるいは静止画像を表示するとともに、ヘッドフォーン部１２が再生出力音声信号ＳＰＡに基づく音声を発する状態にあるとき、本体部１１が、第１の匣体部分１４と第２の匣体部分１５とが展開状態から折畳み状態に移行せしめられたものとされると、機能制御部４０は、次の通りの制御動作を行う。
【００４２】
このとき、機能制御部４０に匣体折畳み状態検出部４１からの検出出力信号ＤＦが供給され、それにより、機能制御部４０は第１の匣体部分１４と第２の匣体部分１５とが展開状態から折畳み状態に移行したことを検知する。続いて、機能制御部４０は、本体部１１が第１の匣体部分１４と第２の匣体部分１５とが折畳み状態をとるものとされるもとで、ヘッドフォーン部１２が引き続き音声信号ＳＡもしくは再生出力音声信号ＳＰＡに基づく音声を発する状態をとることが要求されているか否かを判断する。この判断は、制御操作部１９から供給された操作信号ＳＸに応じて予めなされた処理に基づいて行う。
【００４３】
そして、ヘッドフォーン部１２が引き続き音声信号ＳＡもしくは再生出力音声信号ＳＰＡに基づく音声を発する状態をとることが要求されている場合には、機能制御部４０は、テレビジョン機能部３１に送出する制御信号ＣＴを、テレビジョン機能部３１に、音声信号ＳＡを送出して、受信されたテレビジョン放送信号に基づく音声がヘッドフォーン部１２から発せられる状態を得るようにする機能については継続的に果たすが、それ以外の機能を停止する状態をとらせるものとする制御、もしくは、記録再生機能部３４に送出する制御信号ＣＲを、記録再生機能部３４に、再生出力音声信号ＳＰＡを送出して、メモリースティック２１に書き込まれた音声信号に基づく音声がヘッドフォーン部１２から発せられる状態を得るようにする機能については継続的に果たすが、それ以外の機能を停止する状態をとらせるものとする制御を行う。また、それとともに、選択部３３に音声信号ＳＡもしくは再生出力音声信号ＳＰＡを選択して取り出す状態をとらせる制御信号ＣＡ、及び、ヘッドフォーン部１２に音声信号ＳＡもしくは再生出力音声信号ＳＰＡに基づく音声を発する状態をとらせる制御信号ＣＯを、引き続いて送出する。それにより、本体部１１の第１の匣体部分１４と第２の匣体部分１５とが折畳み状態とされたもとで、ヘッドフォーン部１２が引き続き音声信号ＳＡもしくは再生出力音声信号ＳＰＡに基づく音声を発することになる。
【００４４】
本体部１１が第１の匣体部分１４と第２の匣体部分１５とが折畳み状態をとるものとされるもとで、ヘッドフォーン部１２が引き続き音声信号ＳＡもしくは再生出力音声信号ＳＰＡに基づく音声を発する状態をとることが要求されていない場合には、機能制御部４０は、テレビジョン機能部３１に送出する制御信号ＣＴを、テレビジョン機能部３１の全ての機能を停止させるものとする制御、もしくは、記録再生機能部３４に送出する制御信号ＣＲを、記録再生機能部３４の全ての機能を停止させるものとする制御を行う。また、それとともに、選択部３２及び３３，画像表示部１７，ヘッドフォーン部１２，インジケータ部２０，電源部４２等を含む各部を非動作状態にする制御信号ＣＶ，ＣＡ，ＣＤ，ＣＯ，ＣＩ，ＣＰ等を送出する。
【００４５】
また、本体部１１が、第１の匣体部分１４と第２の匣体部分１５とが展開状態にあるものとされて、記録再生機能部３４が、機能制御部４０からの制御信号ＣＲに応じて、映像信号及び音声信号を再生する動作状態にあり、ポーズ機能を果たしているもとで、本体部１１の第１の匣体部分１４と第２の匣体部分１５とが展開状態から折畳み状態に移行せしめられると、機能制御部４０は、次の通りの制御動作を行う。
【００４６】
このとき、機能制御部４０に匣体折畳み状態検出部４１からの検出出力信号ＤＦが供給され、それにより、機能制御部４０は第１の匣体部分１４と第２の匣体部分１５とが展開状態から折畳み状態に移行したことを検知する。続いて、機能制御部４０は、制御信号ＣＲに応じて映像信号及び音声信号を再生する動作状態にある記録再生機能部３４が、ポーズ機能を果たしていたか否かを判断する。この判断は、記録再生機能部３４からの状態信号ＤＺに基づいて行う。
【００４７】
そして、記録再生機能部３４がポーズ機能を果たしていた場合には、機能制御部４０は、記録再生機能部３４に送出する制御信号ＣＲを、記録再生機能部３４に、ポーズ機能を保存し、それ以外の機能を停止する状態をとらせるものとする。また、それとともに、選択部３２及び３３，画像表示部１７，ヘッドフォーン部１２，インジケータ部２０，電源部４２等を含む各部を非動作状態にする制御信号ＣＶ，ＣＡ，ＣＤ，ＣＯ，ＣＩ，ＣＰ等を送出する。それにより、記録再生機能部３４のポーズ機能が保存され、それ以外の機能については停止される状態がとられる。
【００４８】
斯かる状態のもとで、その後、本体部１１の第１の匣体部分１４と第２の匣体部分１５とが折畳み状態から展開状態に移行せしめられると、機能制御部４０は、記録再生機能部３４に送出する制御信号ＣＲを、記録再生機能部３４に、映像信号及び音声信号の再生を行う動作状態をポーズ機能を果たす状態をもって開始させるものとする。また、それとともに、選択部３２及び３３，画像表示部１７，ヘッドフォーン部１２，インジケータ部２０，電源部４２等を含む各部を動作状態にする制御信号ＣＶ，ＣＡ，ＣＤ，ＣＯ，ＣＩ，ＣＰ等を送出する。
【００４９】
それにより、記録再生機能部３４は、その後、ポーズ機能状態が解除されると、映像信号及び音声信号の再生をポーズ機能状態とされる直前に引き続いて行い、それにより、画像表示部１７が記録再生機能部３４からの再生出力映像信号ＳＰＶに基づく動画像あるいは静止画像を表示するとともに、ヘッドフォーン部１２が記録再生機能部３４からの再生出力音声信号ＳＰＡに基づく音声を発する状態とされる。
【００５０】
本体部１１の第１の匣体部分１４と第２の匣体部分１５とが展開状態から折畳み状態に移行せしめられたとき、制御信号ＣＲに応じて映像信号及び音声信号を再生する動作状態にある記録再生機能部３４が、ポーズ機能を果たしていなかった場合には、機能制御部４０は、記録再生機能部３４に送出する制御信号ＣＲを、記録再生機能部３４の全ての機能を停止させるものとする。また、それとともに、選択部３２及び３３，画像表示部１７，ヘッドフォーン部１２，インジケータ部２０，電源部４２等を含む各部を非動作状態にする制御信号ＣＶ，ＣＡ，ＣＤ，ＣＯ，ＣＩ，ＣＰ等を送出する。
【００５１】
さらに、本体部１１が、第１の匣体部分１４と第２の匣体部分１５とが展開状態にあるものとされて、音声再生機能部３７が、機能制御部４０からの制御信号ＣＵに応じて、再生音声信号ＳＵを送出する機能を果たしており、ヘッドフォーン部１２が再生音声信号ＳＵに基づく音声を発する状態にあるもとで、本体部１１が、第１の匣体部分１４と第２の匣体部分１５とが展開状態から折畳み状態に移行せしめられたものとされると、機能制御部４０は、次の通りの制御動作を行う。
【００５２】
このとき、機能制御部４０に匣体折畳み状態検出部４１からの検出出力信号ＤＦが供給され、それにより、機能制御部４０は第１の匣体部分１４と第２の匣体部分１５とが展開状態から折畳み状態に移行したことを検知する。そして、機能制御部４０は、音声再生機能部３７に送出する制御信号ＣＵを、音声再生機能部３７に、引き続き、再生音声信号ＳＵを送出する機能を継続させるものとする。また、それとともに、選択部３３に再生音声信号ＳＵを選択してとり出す状態をとらせる制御信号ＣＡ、及び、ヘッドフォーン部１２に再生音声信号ＳＵに基づく音声を発する状態をとらせる制御信号ＣＯを、引き続いて送出する。それにより、本体部１１の第１の匣体部分１４と第２の匣体部分１５とが折畳み状態とされたもとで、ヘッドフォーン部１２が引き続き再生音声信号ＳＵに基づく音声を発することになる。
【００５３】
なお、上述のようにして、本体部１１の第１の匣体部分１４と第２の匣体部分１５とが折畳み状態とされたもとで、音声再生機能部３７が再生音声信号ＳＵを送出する機能を果たし、ヘッドフォーン部１２が再生音声信号ＳＵに基づく音声を発する状態は、制御操作部１９における操作用釦１８のうちの特定のものが操作されることによって停止せしめられる。
【００５４】
機能制御部４０は、例えば、マイクロコンピュータが用いられて構成される。図４は、機能制御部４０を構成するマイクロコンピュータが、機能制御部４０の制御動作にあたって実行する動作プログラムの一例をあらわすフローチャートを示す。
【００５５】
図４に示されるフローチャートにあっては、スタート後、ステップ５１において、匣体折畳み状態検出部４１からの検出出力信号ＤＦが新たに到来したか否かを判断する。その結果、検出出力信号ＤＦが新たに到来していなければ、ステップ５１での判断を繰り返し、検出出力信号ＤＦが新たに到来した場合には、ステップ５２に進む。
【００５６】
ステップ５２においては、制御信号ＣＴに基づいて、テレビジョン機能部３１が動作状態にあるか否かを判断する。その結果、テレビジョン機能部３１が動作状態にあれば、ステップ５３において、制御操作部１９から供給された操作出力信号ＳＸに応じて予めなされた処理に基づき、本体部１１の第１の匣体部分１４と第２の匣体部分１５とが折畳み状態をとるもとで、ヘッドフォーン部１２が音声信号ＳＡに基づく音声を発する状態を継続することが要求されているか否かを判断する。
【００５７】
ステップ５３での判断の結果、ヘッドフォーン部１２が音声信号ＳＡに基づく音声を発する状態を継続することが要求されている場合には、ステップ５４において、テレビジョン機能部３１に供給する制御信号ＣＴを、テレビジョン機能部３１に、音声信号ＳＡを送出して、受信されたテレビジョン放送信号に基づく音声がヘッドフォーン部１２から発せられる状態を得るようにする機能については継続的に果たすが、それ以外の機能を停止する状態をとらせるものとして送出するとともに、選択部３３に音声信号ＳＡを選択して取り出す状態をとらせる制御信号ＣＡ、及び、ヘッドフォーン部１２に音声信号ＳＡに基づく音声を発する状態をとらせる制御信号ＣＯを送出する。そして、その後、ステップ５１に戻る。
【００５８】
一方、ステップ５３での判断の結果、ヘッドフォーン部１２が音声信号ＳＡに基づく音声を発する状態を継続することが要求されていない場合には、ステップ５５において、テレビジョン機能部３１及び記録再生機能部３４の全ての機能を停止させるものとされた制御信号ＣＴ及びＣＲを送出するとともに、選択部３２及び３３，画像表示部１７，ヘッドフォーン部１２，インジケータ部２０，電源部４２等を含む各部を非動作状態にする制御信号ＣＶ，ＣＡ，ＣＤ，ＣＯ，ＣＩ，ＣＰ等を送出する。そして、その後、ステップ５１に戻る。
【００５９】
また、ステップ５２での判断の結果、テレビジョン機能部３１が動作状態になければ、ステップ５６において、制御信号ＣＲに基づいて、記録再生機能部３４が動作状態にあるか否かを判断する。その結果、記録再生機能部３４が動作状態にあれば、ステップ５７において、記録再生機能部３４からの状態信号ＤＺに基づき、記録再生機能部３４がポーズ機能を果たしているか否かを判断する。
【００６０】
ステップ５７での判断の結果、記録再生機能部３４がポーズ機能を果たしている場合には、ステップ５８において、記録再生機能部３４に供給する制御信号ＣＲを、記録再生機能部３４に、ポーズ機能を保存し、それ以外の機能を停止する状態をとらせるものとして送出するとともに、選択部３２及び３３，画像表示部１７，ヘッドフォーン部１２，インジケータ部２０，電源部４２等を含む各部を非動作状態にする制御信号ＣＶ，ＣＡ，ＣＤ，ＣＯ，ＣＩ，ＣＰ等を送出する。そして、その後、ステップ５１に戻る。
【００６１】
一方、ステップ５７での判断の結果、記録再生機能部３４がポーズ機能を果たしていない場合には、ステップ５９において、制御操作部１９から供給された操作出力信号ＳＸに応じて予めなされた処理に基づき、本体部１１の第１の匣体部分１４と第２の匣体部分１５とが折畳み状態をとるもとで、ヘッドフォーン部１２が再生出力音声信号ＳＰＡに基づく音声を発する状態を継続することが要求されているか否かを判断する。
【００６２】
ステップ５９での判断の結果、ヘッドフォーン部１２が再生出力音声信号ＳＰＡに基づく音声を発する状態を継続することが要求されている場合には、ステップ６０において、記録再生機能部３４に供給する制御信号ＣＲを、記録再生機能部３４に、再生出力音声信号ＳＰＡを送出して、映像信号及び音声信号が書き込まれたメモリースティック２１から読み出された音声信号に基づく音声がヘッドフォーン部１２から発せられる状態を得るようにする機能については継続的に果たすが、それ以外の機能を停止する状態をとらせるものとして送出するとともに、選択部３３に再生出力音声信号ＳＰＡを選択して取り出す状態をとらせる制御信号ＣＡ，及び、ヘッドフォーン部１２に再生出力音声信号ＳＰＡに基づく音声を発する状態をとらせる制御信号ＣＯを送出する。そして、その後、ステップ５１に戻る。
【００６３】
これに対して、ステップ５９での判断の結果、ヘッドフォーン部１２が再生出力音声信号ＳＰＡに基づく音声を発する状態を継続することが要求されていない場合には、ステップ５５において、テレビジョン機能部３１及び記録再生機能部３４の全ての機能を停止させるものとされた制御信号ＣＴ及びＣＲを送出するともに、選択部３２及び３３，画像表示部１７，ヘッドフォーン部１２，インジケータ部２０，電源部４２等を含む各部を非動作状態にする制御信号ＣＶ，ＣＡ，ＣＤ，ＣＯ，ＣＩ，ＣＰ等を送出する。そして、その後、ステップ５１に戻る。
【００６４】
さらに、ステップ５６での判断の結果、記録再生機能部３４が動作状態になければ、ステップ６１において、制御信号ＣＵに基づいて、音声再生機能部３７が動作状態にあるか否かを判断する。その結果、音声再生機能部３７が動作状態にあれば、ステップ６２において、音声再生機能部３７に供給する制御信号ＣＵを、音声再生機能部３７に、再生音声信号ＳＵを送出して、音声信号が書き込まれたメモリースティック２１から読み出された音声信号に基づく音声がヘッドフォーン部１２から発せられる状態を得るようにする機能については継続的に果たすが、それ以外の機能を停止する状態をとらせるものとして送出するとともに、選択部３３に再生音声信号ＳＵを選択して取り出す状態をとらせる制御信号ＣＡ、及び、ヘッドフォーン部１２に再生音声信号ＳＵに基づく音声を発する状態をとらせる制御信号ＣＯを送出する。そして、その後、ステップ５１に戻る。
【００６５】
一方、ステップ６１での判断の結果、音声再生機能部３７が動作状態になければ、直接にステップ５１に戻る。
【００６６】
以上のように、図１〜図３に示される本願の特許請求の範囲における請求項１から請求項６までのいずれかに記載された発明に係る携帯型電子機器の例にあっては、本体部１１の第１の匣体部分１４と第２の匣体部分１５とが展開状態にあってテレビジョン機能部３１，記録再生機能部３４もしくは音声再生機能部３７が動作しているもとで、本体部１１の第１の匣体部分１４と第２の匣体部分１５とが展開状態から折畳み状態に移行せしめられたとき、予めの要求に応じてテレビジョン機能部３１の音声信号ＳＡを送出する機能もしくは記録再生機能部３４の再生出力音声信号ＳＰＡを送出する機能が継続される状態，記録再生機能部３４が果たすポーズ機能が保存される状態、あるいは、音声再生機能部３７の再生音声信号ＳＵを送出する機能が継続される状態がとられる。それにより、本体部１１が、その第１の匣体部分１４と第２の匣体部分１５とが折畳み状態とされて、携帯がし易いものとされたとき、使用者が、ヘッドフォーン部１２からの、受信されたテレビジョン放送信号に基づく音声、あるいは、映像信号及び音声信号が書き込まれたメモリースティック２１から読み出された音声信号に基づく音声を楽しむことができる状態，本体部１１の第１の匣体部分１４と第２の匣体部分１５とを折畳み状態から展開状態に戻して、記録再生機能部３４のポーズ機能状態を解除すると、記録再生機能部３４による映像信号及び音声信号の再生動作が、最初からのものでなく、ポーズ機能状態がとられる直前の状態に続くものとされることになる状態、あるいは、使用者が、ヘッドフォーン部１２からの、音声信号が書き込まれたメモリースティック２１から読み出された音声信号に基づく音声を楽しむことができる状態が得られる。
【００６７】
また、図１〜図３に示される本願の特許請求の範囲における請求項１から請求項６までのいずれかに記載された発明に係る携帯型電子機器の例にあっては、本体部１１が備える匣体１０が、ヒンジ部１６によって展開及び折畳み可能に連結された第１の匣体部分１４と第２の匣体部分１５とを有するものとされているが、本体部１１が備える匣体１０は、斯かる第１の匣体部分１４と第２の匣体部分１５とに代えて、例えば、第１の匣体部分１４及び第２の匣体部分１５に夫々相当する二つの匣体部分が相対的に並行移動可能（スライダブル）とされて、展開状態と重ね合わせ状態とを選択的にとるようにされることにより、携帯に適したものとされてもよい。
【産業上の利用可能性】
【００６８】
上述のような本願の特許請求の範囲における請求項１から請求項６までのいずれかに記載された発明に係る携帯型電子機器は、例えば、テレビジョン信号受信再生動作及び映像信号及び音声信号の記録再生動作、さらには、それに加えて音声信号の再生動作をも行うことができ、携帯に適した匣体をもって本体が構成されるものであって、機能面における改良が加えられた携帯型電子機器として、実用に供され得るものである。
【図面の簡単な説明】
【００６９】
【図１】本願の特許請求の範囲における請求項１から請求項６までのいずれかに記載された発明に係る携帯型電子機器の一例の外観を示す斜視図である。
【図２】本願の特許請求の範囲における請求項１から請求項６までのいずれかに記載された発明に係る携帯型電子機器の一例の外観を示す斜視図である。
【図３】本願の特許請求の範囲における請求項１から請求項６までのいずれかに記載された発明に係る携帯型電子機器の一例の構成を示すブロック接続図である。
【図４】図３に示される機能制御部を構成するマイクロコンピュータが、機能制御部の制御動作にあたって実行する動作プログラムの一例をあらわすフローチャートである。
【符号の説明】
【００７０】
１０・・・匣体，  １１・・・本体部，  １２・・・ヘッドフォーン部，  １４・・・第１の匣体部分，  １５・・・第２の匣体部分，  １７・・・画像表示部，  １９・・・制御操作部，  ２１・・・メモリースティック，  ３０・・・アンテナ，  ３１・・・テレビジョン機能部，  ３４・・・記録再生機能部，  ３５・・・メモリースティック書込み・読出し制御部，  ３７・・・音声再生機能部，  ４０・・・機能制御部，  ４１・・・匣体折畳み状態検出部，  ４２・・・電源
【図１】
2005063254.tif 000003
【図２】
2005063254.tif 000004
【図３】
2005063254.tif 000005
【図４】
2005063254.tif 000006